(57)【特許請求の範囲】
【請求項１】
磁気データが記録される磁気記録媒体が搬送される媒体搬送路を備えるとともに、
前記媒体搬送路で搬送される前記磁気記録媒体の厚さ方向の一方を第１方向とし、前記第１方向の反対方向を第２方向とすると、前記第１方向側から前記媒体搬送路に臨むように配置され前記磁気記録媒体に記録された磁気データの読取りおよび前記磁気記録媒体への磁気データの記録の少なくともいずれか一方を行う磁気ヘッドと、前記第２方向側から前記磁気記録媒体に接触して前記磁気記録媒体を搬送する搬送ローラと、前記搬送ローラが固定される回転軸と、前記回転軸を回転させる駆動機構と、前記磁気ヘッドと対向するように前記磁気ヘッドの前記第２方向側に配置される対向ローラとを備え、
前記搬送ローラは、前記搬送ローラの外周側部分を構成する円筒状かつゴム製のゴム輪と、前記回転軸に固定されるとともに前記ゴム輪の内周側で前記ゴム輪を保持する芯部材とから構成されるゴムローラであり、
前記対向ローラは、前記対向ローラの全体が樹脂で形成された樹脂ローラであり、前記回転軸に回転可能に保持されていることを特徴とする磁気記録媒体処理装置。
【請求項２】
前記搬送ローラによる前記磁気記録媒体の搬送時に、前記ゴム輪の、前記磁気記録媒体に接触している部分である接触部は、前記搬送ローラの径方向の内側へ弾性変形しており、
前記搬送ローラの径方向の内側へ弾性変形している前記接触部の半径と前記対向ローラの半径とが略等しくなっていることを特徴とする請求項１記載の磁気記録媒体処理装置。
【発明の詳細な説明】
【技術分野】
【０００１】
本発明は、磁気データが記録される磁気記録媒体に対して所定の処理を行う磁気記録媒体処理装置に関する。
【背景技術】
【０００２】
従来、カードに記録された磁気データの読取りやカードへの磁気データの記録を行うカードリーダが知られている（たとえば、特許文献１参照）。特許文献１に記載のカードリーダは、磁気データの読取りや記録を行う磁気ヘッドと、カードに接触してカード搬送路でカードを搬送する搬送ローラと、搬送ローラが固定される回転軸と、回転軸を回転させる駆動機構と、搬送ローラと対向するように配置されるパッドローラと、磁気ヘッドと対向するように配置される対向ローラとを備えている。
【０００３】
特許文献１に記載のカードリーダでは、搬送ローラは、芯金と芯金の外周側に固定されるゴム輪とから構成されるゴムローラであり、ゴム輪の外周面がカードに接触するため、搬送ローラによるカードの搬送力を確保することが可能になっている。また、搬送ローラは、回転軸の軸方向の中心位置に固定されている。磁気ヘッドは、対向ローラに向かって付勢されている。対向ローラは、磁気ヘッドとカードとを所定の接触力で接触させるために設けられており、搬送ローラによるカードの搬送時に、対向ローラはカードに接触する。なお、対向ローラは、搬送ローラが固定される回転軸の端部に固定されている。そのため、このカードリーダでは、対向ローラを保持する部材を別途設ける必要がなく、その結果、カードリーダの構成を簡素化することが可能となっている。
【先行技術文献】
【特許文献】
【０００４】
【特許文献１】特開２００９−２３７９４２号公報
【発明の概要】
【発明が解決しようとする課題】
【０００５】
特許文献１に記載のカードリーダでは、搬送ローラが固定される回転軸に対向ローラが固定されているため、搬送ローラと対向ローラとは同じ回転数で回転する。また、対向ローラは、搬送ローラが固定される回転軸に固定されるとともに、搬送ローラによるカードの搬送時にカードに接触するため、カードには、対向ローラによる搬送力も作用する。一方で、カードの搬送時に、搬送ローラによるカードの搬送量と対向ローラによるカードの搬送量とに差が生じると、カード搬送路で搬送されるカードが傾いて、磁気ヘッドによる磁気データの読取り精度や記録精度が低下するおそれがある。
【０００６】
したがって、特許文献１に記載のカードリーダでは、同じ回転数で回転する搬送ローラと対向ローラとの間でカードの搬送量に差が生じないように、搬送ローラの外径と対向ローラの外径とが等しくなるとともに、搬送ローラの外周面の材質と対向ローラの外周面の材質とが同じになっていることが好ましい。しかしながら、特許文献１に記載のカードリーダでは、搬送ローラは、芯金とゴム輪とから構成されるゴムローラであり、搬送ローラのコストは高い。そのため、対向ローラを搬送ローラと同様のゴムローラとすると、対向ローラのコストが高くなる。
【０００７】
そこで、本発明の課題は、媒体搬送路での磁気記録媒体の傾きを抑制することが可能であっても、磁気ヘッドと対向するように配置される対向ローラのコストを低減しつつ、装置の構成を簡素化することが可能な磁気記録媒体処理装置を提供することにある。
【課題を解決するための手段】
【０００８】
上記の課題を解決するため、本発明の磁気記録媒体処理装置は、磁気データが記録される磁気記録媒体が搬送される媒体搬送路を備えるとともに、媒体搬送路で搬送される磁気記録媒体の厚さ方向の一方を第１方向とし、第１方向の反対方向を第２方向とすると、第１方向側から媒体搬送路に臨むように配置され磁気記録媒体に記録された磁気データの読取りおよび磁気記録媒体への磁気データの記録の少なくともいずれか一方を行う磁気ヘッドと、第２方向側から磁気記録媒体に接触して磁気記録媒体を搬送する搬送ローラと、搬送ローラが固定される回転軸と、回転軸を回転させる駆動機構と、磁気ヘッドと対向するように磁気ヘッドの第２方向側に配置される対向ローラとを備え、搬送ローラは、搬送ローラの外周側部分を構成する円筒状かつゴム製のゴム輪と、回転軸に固定されるとともにゴム輪の内周側でゴム輪を保持する芯部材とから構成されるゴムローラであり、対向ローラは、対向ローラの全体が樹脂で形成された樹脂ローラであり、回転軸に回転可能に保持されていることを特徴とする。
【００１０】
本発明の磁気記録媒体処理装置では、磁気ヘッドと対向するように配置される対向ローラは、搬送ローラが固定される回転軸に回転可能に保持されている。そのため、本発明では、搬送ローラによる磁気記録媒体の搬送時に対向ローラによる磁気記録媒体の搬送力が発生せず、対向ローラは磁気記録媒体の搬送速度に応じて回転する。したがって、本発明では、搬送ローラによる磁気記録媒体の搬送時に、搬送ローラによる磁気記録媒体の搬送量と対向ローラによる磁気記録媒体の搬送量とに差が生じることはない。
【００１１】
そのため、本発明では、搬送ローラの外径と対向ローラの外径とを等しくしたり、搬送ローラの外周面の材質と対向ローラの外周面の材質とを同じにしなくても、媒体搬送路での磁気記録媒体の傾きを抑制することが可能になる。したがって、本発明では、搬送ローラがゴムローラであるのに対して、対向ローラが樹脂ローラであったとしても、媒体搬送路での磁気記録媒体の傾きを抑制することが可能になり、その結果、媒体搬送路での磁気記録媒体の傾きを抑制しつつ、対向ローラのコストを低減することが可能になる。また、本発明では、搬送ローラが固定される回転軸に対向ローラが保持されているため、対向ローラを保持するための部材を別途設ける必要がない。したがって、本発明では、磁気記録媒体処理装置の構成を簡素化することが可能になる。
【００１２】
本発明において、搬送ローラによる磁気記録媒体の搬送時に、ゴム輪の、磁気記録媒体に接触している部分である接触部は、搬送ローラの径方向の内側へ弾性変形しており、搬送ローラの径方向の内側へ弾性変形している接触部の半径と対向ローラの半径とが略等しくなっていることが好ましい。このように構成すると、磁気記録媒体を搬送する際の搬送ローラの回転数と対向ローラの回転数とをほぼ一致させることが可能になる。すなわち、磁気記録媒体を搬送する際の回転軸の回転数と対向ローラの回転数とをほぼ一致させることが可能になる。したがって、対向ローラが回転軸に回転可能に保持されていても、回転軸の外周面や対向ローラの内周面の摩耗を低減することが可能になる。
【発明の効果】
【００１３】
以上のように、本発明では、媒体搬送路での磁気記録媒体の傾きを抑制することが可能であっても、磁気ヘッドと対向するように配置される対向ローラのコストを低減しつつ、磁気記録媒体処理装置の構成を簡素化することが可能になる。
【図面の簡単な説明】
【００１４】
【図１】本発明の実施の形態にかかる磁気記録媒体処理装置の概略構成を説明するための側面図である。
【図２】図１のＥ部の構成を説明するための正面図である。
【図３】図１のＦ部の構成を抜き出して示す斜視図である。
【図４】図２のＧ部の拡大図であり、（Ａ）は搬送ローラによるカードの搬送が行われていないときの状態を説明するための図、（Ｂ）は搬送ローラによるカードの搬送時の状態を説明するための図である。
【発明を実施するための形態】
【００１５】
以下、図面を参照しながら、本発明の実施の形態を説明する。
【００１６】
（磁気記録媒体処理装置の構成）
図１は、本発明の実施の形態にかかる磁気記録媒体処理装置１の概略構成を説明するための側面図である。図２は、図１のＥ部の構成を説明するための正面図である。図３は、図１のＦ部の構成を抜き出して示す斜視図である。図４は、図２のＧ部の拡大図であり、（Ａ）は搬送ローラ１１によるカード２の搬送が行われていないときの状態を説明するための図、（Ｂ）は搬送ローラ１１によるカード２の搬送時の状態を説明するための図である。
【００１７】
本形態の磁気記録媒体処理装置１は、磁気記録媒体であるカード２に記録された磁気データの読取りやカード２への磁気データの記録を行うためのカードリーダである。したがって、以下では、本形態の磁気記録媒体処理装置１を「カードリーダ１」とする。カードリーダ１は、ＡＴＭ（Ａｕｔｏｍａｔｅｄ  Ｔｅｌｌｅｒ  Ｍａｃｈｉｎｅ）等の所定の上位装置に搭載されて使用される。また、カードリーダ１には、カード２が挿入されるカード挿入口３と、カード挿入口３に挿入されたカード２が搬送される媒体搬送路としてのカード搬送路４とが形成されている。
【００１８】
カード２は、０．７〜０．８ｍｍ程度の塩化ビニール製のカードであり、略長方形状に形成されている。カード２の裏面には、磁気データが記録される磁気ストライプが形成されている。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００１９】
カード搬送路４では、図１等のＸ方向へカード２が搬送される。すなわち、Ｘ方向は、カード２の搬送方向である。また、Ｘ方向に直交する図１等のＺ方向は、カード搬送路４で搬送されるカード２の厚さ方向であり、Ｘ方向とＺ方向とに直交する図１等のＹ方向は、カード搬送路４で搬送されるカード２の幅方向である。以下の説明では、Ｘ方向を「前後方向」、Ｙ方向を「左右方向」、Ｚ方向を「上下方向」とする。また、Ｚ１方向側を「上」側、Ｚ２方向側を「下」側とする。本形態の下方向（Ｚ２方向）は第１方向であり、上方向（Ｚ１方向）は第２方向である。
【００２０】
カードリーダ１は、カード２に記録された磁気データの読取りおよびカード２への磁気データの記録の少なくともいずれか一方を行う磁気ヘッド６と、カード搬送路４でカード２を搬送するカード搬送機構７と、磁気ヘッド６と対向するように配置される対向ローラ８とを備えている。磁気ヘッド６は、下側からカード搬送路４に臨むように配置されている。この磁気ヘッド６は、図示を省略する付勢機構によって上側へ付勢されている。また、磁気ヘッド６は、左右方向においてカード２の磁気ストライプが通過する位置に配置されている。
【００２１】
カード搬送機構７は、カード２に接触してカード２を搬送する２個の搬送ローラ１１、１２と、搬送ローラ１１が固定される回転軸１３と、搬送ローラ１２が固定される回転軸１４と、回転軸１３、１４を回転させる駆動機構１５と、搬送ローラ１１と対向するように配置されるパッドローラ１６と、搬送ローラ１２と対向するように配置されるパッドローラ１７とを備えている。搬送ローラ１１、回転軸１３およびパッドローラ１６は、カードリーダ１の前端側に配置され、搬送ローラ１２、回転軸１４およびパッドローラ１７は、カードリーダ１の奥端側に配置されている。
【００２２】
駆動機構１５は、モータ２０と、モータ２０の動力を回転軸１３、１４に伝達する歯車列２１とを備えている。歯車列２１は、複数の歯車によって構成されている。なお、図１、図３では、歯車列２１を構成する複数の歯車のうちの、モータ２０と回転軸１４とを連結する複数の歯車の図示を省略している。
【００２３】
回転軸１３、１４は、回転軸１３、１４の軸方向と左右方向とが一致するように配置されている。また、回転軸１３、１４は、カード搬送路４よりも上側に配置されている。この回転軸１３、１４は、カードリーダ１のフレームに回転可能に支持されている。回転軸１３の一端側には、歯車列２１を構成する歯車２２が固定されている。また、回転軸１４の一端側にも、歯車列２１を構成する歯車（図示省略）が固定されている。
【００２４】
搬送ローラ１１と搬送ローラ１２とは同形状に形成されている。また、搬送ローラ１１、１２は、ゴムローラであり、搬送ローラ１１、１２の外周側部分を構成するゴム製のゴム輪２５と、搬送ローラ１１、１２の内周側部分を構成する芯部材としての芯金２６とから構成されている。ゴム輪２５は、円筒状に形成されている。芯金２６は、たとえば、アルミニウム合金等の金属で形成されている。また、芯金２６は、略円筒状に形成されている。この芯金２６は、ゴム輪２５の内周側でゴム輪２５を保持している。すなわち、芯金２６の外周側にゴム輪２５が取り付けられている。
【００２５】
芯金２６は、回転軸１３、１４に固定されている。本形態では、芯金２６は、回転軸１３、１４の軸方向（すなわち、左右方向）の略中心位置に固定されている。すなわち、搬送ローラ１１、１２は、回転軸１３、１４の軸方向の略中心位置に固定されている。具体的には、芯金２６の内周側に回転軸１３、１４が挿通された状態で、搬送ローラ１１、１２が回転軸１３、１４に固定されている。搬送ローラ１１、１２は、カード搬送路４で搬送されるカード２に上側から接触するように配置されている。なお、搬送ローラ１１、１２は、回転軸１３、１４の軸方向の略中心位置からずれた位置に固定されても良い。
【００２６】
パッドローラ１６、１７は、ポリアセタール等の樹脂で形成されている。このパッドローラ１６、１７は、図示を省略する支持軸に回転可能に保持されている。パッドローラ１６は、搬送ローラ１１と対向するように搬送ローラ１１の下側に配置され、パッドローラ１７は、搬送ローラ１２と対向するように搬送ローラ１２の下側に配置されている。また、パッドローラ１６は、搬送ローラ１１に向かって付勢され、パッドローラ１７は、搬送ローラ１２に向かって付勢されている。すなわち、パッドローラ１６、１７は、上側へ付勢されている。カード搬送路４でカード２が搬送されていないときには、図４（Ａ）に示すように、パッドローラ１６の上端は、搬送ローラ１１の下端に接触している。同様に、カード搬送路４でカード２が搬送されていないときには、パッドローラ１７の上端は、搬送ローラ１２の下端に接触している。
【００２７】
カード搬送路４でカード２が搬送されるときには、カード２は、搬送ローラ１１とパッドローラ１６との間に挟まれた状態、および、搬送ローラ１２とパッドローラ１７との間に挟まれた状態の少なくともいずれか一方の状態で搬送される。搬送ローラ１１によるカード２の搬送時には、カード２の厚さに応じてパッドローラ１６が下側へ移動し、搬送ローラ１２によるカード２の搬送時には、カード２の厚さに応じてパッドローラ１７が下側へ移動する。
【００２８】
また、搬送ローラ１１によるカード２の搬送時には、搬送ローラ１１のゴム輪２５の、カード２の上面に接触している部分である接触部２５ａは、図４（Ｂ）に示すように、ΔＬだけ搬送ローラ１１の径方向の内側へ弾性変形している。同様に、搬送ローラ１２によるカード２の搬送時には、搬送ローラ１２のゴム輪２５の接触部２５ａは、ΔＬだけ搬送ローラ１２の径方向の内側へ弾性変形している。そのため、搬送ローラ１１、１２とカード２の上面との接触力を高めて、搬送ローラ１１、１２によるカード２の搬送力を確保することが可能になっている。
【００２９】
対向ローラ８は、対向ローラ８の全体がポリアセタール等の樹脂で形成された樹脂ローラである。本形態の対向ローラ８は、比較的潤滑性に優れる樹脂で形成されている。この対向ローラ８は、円筒状に形成されている。また、対向ローラ８は、回転軸１３に回転可能に保持されている。具体的には、歯車２２が固定される回転軸１３の一端側の反対側となる回転軸１３の他端側が対向ローラ８の内周側に挿通されており、対向ローラ８は、回転軸１３の他端側に回転可能に保持されている。上述のように、対向ローラ８は、比較的潤滑性に優れる樹脂で形成されているため、回転軸１３に対する対向ローラ８の円滑な回転が可能となっている。
【００３０】
対向ローラ８は、磁気ヘッド６と対向するように磁気ヘッド６の上側に配置されている。また、対向ローラ８は、磁気ヘッド６とカード２とを所定の接触力で接触させるために設けられており、カード搬送路４でカード２が搬送されるときには、対向ローラ８はカード２の上面に接触する。なお、回転軸１３には、回転軸１３に対する対向ローラ８の左右方向のずれを防止するためのＥ型止め輪等の止め輪（図示省略）が取り付けられている。
【００３１】
対向ローラ８の外径は、搬送ローラ１１、１２の外径よりも小さくなっている。具体的には、対向ローラ８の外径は、搬送ローラ１１、１２の外径よりもわずかに小さくなっている。また、本形態では、カード２の搬送時に搬送ローラ１１、１２の径方向の内側へ弾性変形しているゴム輪２５の接触部２５ａの半径（より具体的には、搬送ローラ１１、１２の径方向における回転軸１３、１４の軸中心から接触部２５ａまでの距離）Ｒ１と、対向ローラ８の半径とが略等しくなっている。
【００３２】
（本形態の主な効果）
以上説明したように、本形態では、磁気ヘッド６と対向するように配置される対向ローラ８は、搬送ローラ１１が固定される回転軸１３に回転可能に保持されている。そのため、本形態では、搬送ローラ１１によるカード２の搬送時に対向ローラ８によるカード２の搬送力が発生せず、対向ローラ８はカード２の搬送速度に応じて回転する。したがって、本形態では、搬送ローラ１１によるカード２の搬送時に、搬送ローラ１１によるカード２の搬送量と対向ローラ８によるカード２の搬送量とに差が生じることはない。
【００３３】
そのため、本形態では、搬送ローラ１１の外径と対向ローラ８の外径とを等しくしたり、搬送ローラ１１の外周面の材質と対向ローラ８の外周面の材質とを同じにしなくても、カード搬送路４でのカード２の傾き（具体的には、上下方向から見たときの前後方向に対するカード２の傾き）を抑制することが可能になる。したがって、本形態では、対向ローラ８を樹脂ローラとしても、カード搬送路４でのカード２の傾きを抑制することが可能になり、その結果、カード搬送路４でのカード２の傾きを抑制しつつ、対向ローラ８のコストを低減することが可能になる。また、本形態では、搬送ローラ１１が固定される回転軸１３に対向ローラ８が保持されているため、対向ローラ８を保持するための部材を別途設ける必要がない。したがって、本形態では、カードリーダ１の構成を簡素化することが可能になる。
【００３４】
本形態では、搬送ローラ１１によるカード２の搬送時に、ゴム輪２５の接触部２５ａは、搬送ローラ１１の径方向の内側へ弾性変形しており、弾性変形しているゴム輪２５の接触部２５ａの半径Ｒ１と対向ローラ８の半径とが略等しくなっている。そのため、本形態では、カード２を搬送する際の搬送ローラ１１の回転数と対向ローラ８の回転数とをほぼ一致させることが可能になる。すなわち、本形態では、カード２を搬送する際の回転軸１３の回転数と対向ローラ８の回転数とをほぼ一致させることが可能になる。したがって、本形態では、対向ローラ８が回転軸１３に回転可能に保持されていても、回転軸１３の外周面や対向ローラ８の内周面の摩耗を低減することが可能になる。
【００３５】
また、本形態では、弾性変形しているゴム輪２５の接触部２５ａの半径Ｒ１と対向ローラ８の半径とが略等しくなっているため、カード搬送路４でのカード２の傾き（具体的には、前後方向から見たときの左右方向に対するカード２の傾き）を抑制することが可能になる。したがって、本形態では、前後方向から見たときの、磁気ヘッド６の磁気ギャップに対するカード２の傾きを抑制することが可能になり、その結果、磁気ヘッド６による磁気データの読取り精度を高めることが可能になる。
【００３６】
（他の実施の形態）
上述した形態は、本発明の好適な形態の一例ではあるが、これに限定されるものではなく本発明の要旨を変更しない範囲において種々変形実施が可能である。
【００３７】
上述した形態では、パッドローラ１６、１７は、樹脂で形成されているが、パッドローラ１６、１７は、搬送ローラ１１、１２と同様に構成されるゴムローラであっても良い。また、上述した形態では、パッドローラ１６、１７は、搬送ローラ１１、１２に向かって付勢されているが、搬送ローラ１１、１２とパッドローラ１６、１７との間にカード２が挟まれたときに、搬送ローラ１１、１２およびパッドローラ１６、１７と、カード２との間の接触力を確保することができて、カード２を適切に搬送することができるのであれば、パッドローラ１６、１７は、搬送ローラ１１、１２に向かって付勢されていなくても良い。すなわち、パッドローラ１６、１７が固定される回転軸、あるいは、パッドローラ１６、１７を回転可能に支持する固定軸は、上下動可能となっていなくても良い。
【００３８】
上述した形態では、ゴム輪２５の接触部２５ａの半径Ｒ１と対向ローラ８の半径とが略等しくなっているが、接触部２５ａの半径Ｒ１と対向ローラ８の半径とが等しくなくても良い。また、上述した形態では、搬送ローラ１１、１２の内周側部分を構成する芯部材は、金属製の芯金２６であるが、芯部材は、樹脂で形成されても良い。また、上述した形態では、磁気記録媒体処理装置１は、カード２に対して所定の処理を行うカードリーダであるが、本発明が適用される磁気記録媒体処理装置は、カード２以外の磁気記録媒体に対して所定の処理を行う装置であっても良い。
【符号の説明】
【００３９】
１  カードリーダ（磁気記録媒体処理装置）
２  カード（磁気記録媒体）
４  カード搬送路（媒体搬送路）
６  磁気ヘッド
８  対向ローラ
１１  搬送ローラ
１３  回転軸
１５  駆動機構
２５  ゴム輪
２５ａ  接触部
２６  芯金（芯部材）
Ｒ１  接触部の半径
Ｚ  磁気記録媒体の厚さ方向
Ｚ１  第２方向
Ｚ２  第１方向
【図１】
0006426575.tif 000002
【図２】
0006426575.tif 000003
【図３】
0006426575.tif 000004
【図４】
0006426575.tif 000005